(57)【要約】  ＬＥＤ光源は、位相カット調光器の出力端子に結合する第１の入力端子及び第２の入力端子を備えるフルブリッジ整流器と、Ｎ個のＬＥＤ負荷を含む直列配置であって、当該直列配置の第１及び第２の端は、フルブリッジ整流器の第１の出力端子及び第２の出力端子にそれぞれ結合される、当該直列配置と、整流されたＡＣ供給電圧の一周期の間に、瞬間振幅が増加する場合、１つずつ、且つ、整流されたＡＣ供給電圧の瞬間振幅に依存して、第１の直列配置に含まれるＬＥＤ負荷に電流を続けて伝導させ、また、瞬間振幅が減少する場合、１つずつ、且つ、整流されたＡＣ供給電圧の瞬間振幅に依存して、ＬＥＤ負荷に電流を伝導することを続けて停止させる制御手段であって、位相カット調光器の出力電圧が０と等しくなる場合に、ＬＥＤ負荷を流れる電流をゼロに制御し、位相カット調光器の出力電圧が０ボルトとは異なる場合に、ＬＥＤ負荷を流れる電流を、位相カット調光器の位相角とは無関係である値に制御する、当該制御手段とを含む。ＬＥＤ光源を、位相カット調光器に適合可能とするために、ＬＥＤ光源には更に、フルブリッジ整流器の第１及び第２の出力端子間に結合されるスイッチ可能なブリーダー電流源と、フルブリッジ整流器の第１及び第２の出力端子間に結合され、位相カット調光器がリーディングエッジ位相カット調光器である場合に、位相カット調光器によって生成されたリーディングエッジの後に、調光器を流れる電流が０を交差しないように、抵抗及びコンデンサを含む直列配置を含むラッチと、ＬＥＤ負荷又は調節可能なブリーダー電流源を介するコンデンサの放電を阻止するためにコンデンサと直列に配置された単向性素子と、コンデンサに結合され、コンデンサを放電するための電流源を含み、調光器がオフの場合に、調光器電流のための低オーム経路を提供するクランプ回路とが備わっている。
2014519688.tif 000002
【特許請求の範囲】
【請求項１】
位相カット調光器によって調光されるのに適しているＬＥＤ光源であって、
前記位相カット調光器の出力端子に結合する第１の入力端子及び第２の入力端子を備え、ＡＣ供給電圧を供給する整流器と、
Ｎ個のＬＥＤ負荷を含む直列配置であって、前記直列配置の第１及び第２の端は、前記整流器の第１の出力端子及び第２の出力端子にそれぞれ結合される、前記直列配置と、
整流された前記ＡＣ供給電圧の一周期の間に、瞬間振幅が増加する場合、１つずつ、且つ、整流された前記ＡＣ供給電圧の前記瞬間振幅に依存して、前記直列配置に含まれる前記ＬＥＤ負荷に電流を続けて伝導させ、また、前記瞬間振幅が減少する場合、１つずつ、且つ、整流された前記ＡＣ供給電圧の前記瞬間振幅に依存して、前記ＬＥＤ負荷に電流を伝導することを続けて停止させる制御手段であって、前記位相カット調光器の出力電圧が０と等しくなる場合に、前記ＬＥＤ負荷を流れる電流をゼロに制御し、前記位相カット調光器の前記出力電圧が０ボルトとは異なる場合に、前記ＬＥＤ負荷を流れる電流を、前記位相カット調光器の位相角とは無関係である値に制御する、前記制御手段と、
前記整流器の前記第１及び第２の出力端子間に結合されるスイッチ可能なブリーダー電流源と、
前記位相カット調光器がリーディングエッジ位相カット調光器である場合に、前記位相カット調光器によって生成されたリーディングエッジの後に、前記位相カット調光器を流れる電流が０を交差しないように、抵抗及びコンデンサを含む直列配置を含み、前記整流器の前記第１及び第２の出力端子間に結合されるラッチと、
前記コンデンサと直列に配置された単向性素子と、
前記コンデンサに結合され、前記コンデンサを放電するための電流源を含み、前記位相カット調光器がオフの場合に、前記位相カット調光器の電流のための低オーム経路を提供するクランプ回路と、
を含む、ＬＥＤ光源。
【請求項２】
前記スイッチ可能なブリーダー電流源は、第１の直列配置と、前記整流器の出力端子間に結合され、前記第１の直列配置と並列の第２の直列配置とを含み、前記第１の直列配置は、第１の抵抗及び第１のトランジスタを含み、前記第２の直列配置は、第２の抵抗及び第２のトランジスタを含み、前記第１のトランジスタの制御電極は、前記第２のトランジスタ及び前記第２の抵抗間の端子に接続され、前記第２のトランジスタの制御電極は、前記第１のトランジスタ及び前記第１の抵抗間の端子に接続される、請求項１に記載のＬＥＤ光源。
【請求項３】
前記制御手段は、スイッチ可能な電流源を含むＮ個の制御ストリングであって、ＬＥＤ負荷のカソードを前記整流器の前記第２の出力端子に接続する前記Ｎ個の制御ストリングを含む、請求項１に記載のＬＥＤ光源。
【請求項４】
前記電流源のそれぞれは、第１の抵抗及び第１のスイッチ素子を含む第１の直列配置と、前記第１の直列配置と並列で、第２の抵抗及び第２のスイッチ素子を含む第２の直列配置とを含み、
前記第１のトランジスタの制御電極は、前記第２のトランジスタ及び前記第２の抵抗間の端子に接続され、前記第２のトランジスタの制御電極は、前記第１のトランジスタ及び前記第１の抵抗間の端子に接続され、
各電流源の第１の端は、ＬＥＤ負荷の前記カソードに結合され、ｎ番目の電流源の第２の端は、２＜ｎ＜Ｎについては、（ｎ−１）番目の電流源の前記第２のトランジスタ及び前記第２の抵抗間の端子に結合され、ｎ＝１については、前記ブリーダー電流源の前記第２のトランジスタ及び前記第２の抵抗間の端子に結合される、請求項３に記載のＬＥＤ光源。
【請求項５】
Ｎ個のＬＥＤ負荷の直列配置を備えるＬＥＤ光源の調光動作方法であって、
周波数ｆを有するＡＣ供給電圧を提供するステップと、
調節可能な時間経過の間の各半周期において前記ＡＣ供給電圧を切断するステップと、
整流器によって切断された前記ＡＣ供給電圧を整流し、切断され整流された前記ＡＣ供給電圧を、Ｎ個のＬＥＤ負荷を含む前記直列配置に供給するステップと、
切断され整流された前記ＡＣ供給電圧の一周期の間に、
瞬間振幅が増加する場合、１つずつ、整流された前記ＡＣ供給電圧の前記瞬間振幅に依存して、前記ＬＥＤ負荷に電流を続けて伝導させ、
前記瞬間振幅が減少する場合、１つずつ、前記ＡＣ供給電圧の前記瞬間振幅に依存して、前記ＬＥＤ負荷に電流を伝導することを続けて停止させ、
切断され整流された前記ＡＣ供給電圧の前記瞬間振幅が０である前記ＡＣ供給電圧の前記切断の間、前記ＬＥＤ負荷を非伝導状態に維持するステップと、
位相カット調光器の出力電圧が０ボルトとは異なる場合に、前記ＬＥＤ負荷を流れる電流を、前記位相カット調光器の位相角とは無関係である値に制御するステップと、
を含み、
前記整流器の第１及び第２の出力端子間に結合されるスイッチ可能なブリーダー電流源を提供し、切断され整流された前記ＡＣ供給電圧の振幅が０ボルトより高く、前記ＬＥＤ負荷は電流を伝導していない場合に、前記位相カット調光器を流れる電流の流れを前記調節可能なブリーダー電流源を使用して維持するステップと、
前記整流器の前記第１及び第２の出力端子間に結合され、抵抗及びコンデンサの直列配置を含むラッチを提供するステップであって、前記位相カット調光器がリーディングエッジ位相カット調光器である場合に、前記ラッチを使用して、切断の終わりにおいて前記位相カット調光器によって生成されたリーディングエッジの後に、前記位相カット調光器を流れる電流が０を交差しないようにするステップと、
前記コンデンサ及び前記抵抗と直列に配置され、前記ＬＥＤ負荷又は前記調節可能なブリーダー電流源を介する前記コンデンサの放電を阻止する単向性素子を提供するステップと、
前記コンデンサに結合され、電流源を含むクランプ回路を提供し、前記クランプ回路を使用して前記コンデンサを放電し、前記位相カット調光器がオフの場合に前記クランプ回路を使用して前記位相カット調光器の電流のための低オーム経路を提供するステップと、
の同時ステップを更に含む、方法。
【請求項６】
位相カット調光器適合モジュールであって、
位相カット調光器の出力端子への接続のための第１の入力端子及び第２の入力端子と、
前記第１の入力端子及び前記第２の入力端子に接続される整流器入力端子を備えるフルブリッジ整流器と、
前記フルブリッジ整流器の出力端子間に結合され、前記位相カット調光器がリーディングエッジ調光器である場合に、リーディングエッジの後に前記位相カット調光器の電流が０を交差しないように、抵抗及びコンデンサを含む直列配置を含むラッチと、
非調光可能なＬＥＤ光源のＬＥＤ負荷又は調節可能なブリーダー電流源を介する前記コンデンサの放電を阻止するために前記コンデンサに直列に配置される単向性素子と、
前記コンデンサに結合され、前記コンデンサを放電するための電流源を含み、前記位相カット調光器がオフの場合に、前記位相カット調光器の電流のための低オーム経路を提供するクランプ回路と、
前記フルブリッジ整流器の前記出力端子を接続する伝導性分岐と、
を含む、位相カット調光器適合モジュール。
【請求項７】
位相カット調光器に適合しない少なくとも１つのＬＥＤ光源と、
請求項６に記載される位相カット調光器適合モジュールと、
を含む、位相カット調光器によって調光されるのに適している照明システム。
【請求項８】
位相カット調光器に適合しない少なくとも１つのＬＥＤ光源と、
請求項１に記載されるＬＥＤ光源と、
を含む、位相カット調光器によって調光されるのに適している照明システム。
【請求項９】
請求項６に記載の位相カット調光器適合モジュールと、
位相カット調光器に適合しない１つ以上のＬＥＤ光源を、前記位相カット調光器適合モジュールと並列に接続する接続端子と、
を含む、照明器具。
【請求項１０】
請求項１に記載の位相カット調光器によって調光されるのに適しているＬＥＤ光源と、
位相カット調光器に適合しない１つ以上のＬＥＤ光源を、前記位相カット調光器適合モジュールと並列に接続する接続端子と、
を含む、照明器具。
【請求項１１】
位相カット調光器に適合せず、請求項７又は８に記載の照明システムにおける使用、及び、請求項９に記載の照明器具における接続端子への接続に適しているＬＥＤ光源であって、
位相カット調光器の前記出力端子への接続のための第１の入力端子及び第２の入力端子を備えるフルブリッジ整流器と、
Ｎ個のＬＥＤ負荷を含む直列配置であって、前記直列配置の第１及び第２の端が、前記フルブリッジ整流器の第１の出力端子及び第２の出力端子にそれぞれ結合される、前記直列配置と、
整流された前記ＡＣ供給電圧の一周期の間に、瞬間振幅が増加する場合、１つずつ、且つ、整流された前記ＡＣ供給電圧の前記瞬間振幅に依存して、前記直列配置に含まれる前記ＬＥＤ負荷に電流を続けて伝導させ、また、前記瞬間振幅が減少する場合、１つずつ、且つ、整流された前記ＡＣ供給電圧の前記瞬間振幅に依存して、前記ＬＥＤ負荷に電流を伝導することを続けて停止させ、切断され整流された前記ＡＣ供給電圧の前記瞬間振幅が０である場合に前記ＬＥＤ負荷を非伝導状態に維持する制御手段と、
前記フルブリッジ整流器の前記第１及び第２の出力端子間に結合されるスイッチ可能なブリーダー電流源と、
を含む、ＬＥＤ光源。
【請求項１２】
動作時、入力電圧と入力電流との間に位相シフトがないように構成される、請求項１０に記載のＬＥＤ光源。
【請求項１３】
前記制御手段は、スイッチ可能な電流源を含み、ＬＥＤ負荷のカソードを前記フルブリッジ整流器の前記第２の出力端子に接続するＮ個の制御ストリングを含む、請求項１０に記載のＬＥＤ光源。
【請求項１４】
供給電圧源及び出力端子への接続のための入力端子を含む位相カット調光器と、
請求項６に記載の位相カット調光器適合モジュールと、
を含み、
前記位相カット調光器適合モジュールの前記第１及び第２の入力端子は、前記位相カット調光器の対応する出力端子に接続される、調光器。
【請求項１５】
位相カット調光器に適合しないＬＥＤ光源を調光するための位相カット調光器適合モジュール及び位相カット調光器の使用。
【発明の詳細な説明】
【技術分野】
【０００１】
本発明は、ＬＥＤ負荷を含み、メイン供給源といった低周波数ＡＣ電圧を供給する供給源に直接接続可能である安価かつ単純なＬＥＤ光源に関する。本発明は更に、ＬＥＤ光源の動作方法、位相カット調光器適合モジュール、当該位相カット調光器適合モジュールの使用、調光器、照明器具、照明システム、及び当該システムにおける使用に適したＬＥＤ光源に関する。
【背景技術】
【０００２】
冒頭で言及したようなＬＥＤ光源は、米国特許第７，０８１，７２２号から知られている。ＬＥＤ負荷とは、個々のＬＥＤの直列配置及び場合によっては並列配置を含むＬＥＤアレイである。ＬＥＤ光源は、低周波数ＡＣ電圧を整流する整流器を含む。動作時、周波数２ｆと、０ボルトと最大振幅との間を変化する振幅とを有する周期的ＤＣ電圧が、整流器の出力端子間に存在する。直列に配置されたＮ個のＬＥＤ負荷が、整流器の出力端子間に結合される。ＬＥＤ光源には更に、低周波数ＡＣ電圧の周期の半分の間、即ち、周期的ＤＣ電圧の一周期の間に、振幅が増加する場合、１つずつ、且つ、低周波数ＡＣ供給電圧の瞬間振幅に依存して、ＬＥＤ負荷に電流を続けて伝導させ、また、瞬間振幅が減少する場合、１つずつ、且つ、低周波数ＡＣ供給電圧の瞬間振幅に依存して、ＬＥＤ負荷に電流を伝導させることを続けて停止させる制御手段が備わっている。
【０００３】
周期的ＤＣ電圧の振幅が０ボルトである場合、どのＬＥＤ負荷も電流を伝導しない。周期的ＤＣ電圧の振幅が増加すると、第１のＬＥＤ負荷が電流を伝導し始める電圧に到達する。同様に、周期的ＤＣ電圧の振幅が十分に高い値まで更に増加すると、第２のＬＥＤ負荷が伝導し始める。周期的ＤＣ電圧の振幅が更に増加すると、残りのＬＥＤ負荷が、続けて、電流を伝導し始める。
【０００４】
すべてのＬＥＤ負荷が電流を伝導する場合、周期的ＤＣ電圧の振幅は、最大振幅に到達するまで更に増加する。その後、周期的ＤＣ電圧の振幅は、減少し始める。振幅が減少する間、ＬＥＤ負荷は、１つずつ、電流を伝導することを停止する。第１のＬＥＤ負荷が伝導を停止した後、周期的ＤＣ電流の振幅は更に減少して０となり、その後、上述のサイクルが繰り返される。
【０００５】
既知のＬＥＤ光源は、非常にコンパクトで比較的単純である。更に、メイン供給源といった低周波数ＡＣ供給電圧源から直接供給されることが可能であり、低周波数ＡＣ供給電圧を実質的に一定のＤＣ電圧に変換するための回路が不要である。この公知のＬＥＤ光源の不利点は、住宅及びオフィスビルにおいて非常に大規模に使用される既存の位相カット調光器に適合しない点である。以下のテキストにおいて、「既存の位相カット調光器に適合しないＬＥＤ光源」は、「非調光可能なＬＥＤ光源」とも呼び、また、非常に限定された範囲でのみ調光可能であるか又はトレーリングエッジ調光器を用いて調光した場合にそれなりの調光挙動しか示さないＬＥＤ光源も示す。この既知のＬＥＤ光源を、壁調光器とも呼ばれる、様々なリーディングエッジ及びトレーリングエッジ位相カット調光器に適合させ、これにより、その潜在的用途を更に増加させることが望ましい。
【発明の概要】
【発明が解決しようとする課題】
【０００６】
本発明は、位相カット調光器に適合可能であり、非常にコンパクトなＬＥＤ光源を提供することを目的とする。
【課題を解決するための手段】
【０００７】
本発明の第１の態様によれば、位相カット調光器によって調光されるのに適しているＬＥＤ光源が提供される。当該ＬＥＤ光源は、
位相カット調光器の出力端子に結合する第１の入力端子及び第２の入力端子を備え、ＡＣ供給電圧を供給する整流器と、
Ｎ個のＬＥＤ負荷を含む直列配置であって、当該直列配置の第１及び第２の端は、整流器の第１の出力端子及び第２の出力端子にそれぞれ結合される、当該直列配置と、
整流されたＡＣ供給電圧の一周期の間に、瞬間振幅が増加する場合、１つずつ、且つ、整流されたＡＣ供給電圧の瞬間振幅に依存して、直列配置に含まれるＬＥＤ負荷に電流を続けて伝導させ、また、瞬間振幅が減少する場合、１つずつ、且つ、整流されたＡＣ供給電圧の瞬間振幅に依存して、ＬＥＤ負荷に電流を伝導することを続けて停止させる制御手段であって、位相カット調光器の出力電圧が０と等しくなる場合に、ＬＥＤ負荷を流れる電流をゼロに制御し、位相カット調光器の出力電圧が０ボルトとは異なる場合に、ＬＥＤ負荷を流れる電流を、位相カット調光器の位相角とは無関係である値に制御する、当該制御手段と、
整流器の第１及び第２の出力端子間に結合されるスイッチ可能なブリーダー電流源と、
整流器の第１及び第２の出力端子間に結合され、位相カット調光器がリーディングエッジ位相カット調光器である場合に、位相カット調光器によって生成されたリーディングエッジの後に、調光器を流れる電流が０を交差しないように、抵抗及びコンデンサを含む直列配置を含むラッチと、
コンデンサと直列に配置された単向性素子と、
コンデンサに結合され、コンデンサを放電するための電流源を含み、調光器がオフの場合に、調光器電流のための低オーム経路を提供するクランプ回路と、を含む。
【０００８】
このようなＬＥＤ光源は、比較的少数の構成要素しか必要としないため、安価であり、したがって、非常にコンパクトでもある。更に、当該ＬＥＤ光源は、非調光動作で使用される場合に、非常に高い力率を有する。調光動作では、非常に低い調光レベルが実現可能である。
【０００９】
本発明の第２の態様によれば、Ｎ個のＬＥＤ負荷の直列配置を備えるＬＥＤ光源の調光動作方法が提供される。当該方法は、
周波数ｆを有するＡＣ供給電圧を提供するステップと、
調節可能な時間経過の間の各半周期においてＡＣ供給電圧を切断するステップと、
整流器によって切断されたＡＣ供給電圧を整流し、切断され整流されたＡＣ電圧を、Ｎ個のＬＥＤ負荷を含む直列配置に供給するステップと、
切断され整流されたＡＣ供給電圧の一周期の間に、
瞬間振幅が増加する場合、１つずつ、整流されたＡＣ供給電圧の瞬間振幅に依存して、ＬＥＤ負荷に電流を続けて伝導させ、
瞬間振幅が減少する場合、１つずつ、ＡＣ供給電圧の瞬間振幅に依存して、ＬＥＤ負荷に電流を伝導することを続けて停止させ、
切断され整流された供給電圧の瞬間振幅が０であるＡＣ供給電圧源の切断の間、ＬＥＤ負荷を非伝導状態に維持するステップと、
位相カット調光器の出力電圧が０ボルトとは異なる場合に、ＬＥＤ負荷を流れる電流を、位相カット調光器の位相角とは無関係である値に制御するステップと、
を含み、
整流器の第１及び第２の出力端子間に結合されるスイッチ可能なブリーダー電流源を提供し、切断され整流された供給電圧の振幅が０ボルトより高く、ＬＥＤ負荷は電流を伝導していない場合に、調光器を流れる電流の流れを調節可能なブリーダー電流源を使用して維持するステップと、
整流器の第１及び第２の出力端子間に結合され、抵抗及びコンデンサの直列配置を含むラッチを提供するステップであって、位相カット調光器がリーディングエッジ位相カット調光器である場合に、ラッチを使用して、切断の終わりにおいて位相カット調光器によって生成されたリーディングエッジの後に、調光器を流れる電流が０を交差しないようにするステップと、
コンデンサ及び抵抗と直列に配置され、ＬＥＤ負荷又は調節可能なブリーダー電流源を介するコンデンサの放電を阻止する単向性素子を提供するステップと、
コンデンサに結合され、電流源を含むクランプ回路を提供し、クランプ回路を使用してコンデンサを放電し、調光器がオフの場合に、クランプ回路を使用して調光器電流のための低オーム経路を提供するステップと、の同時ステップを更に含む。
【００１０】
本発明の第３の態様によれば、位相カット調光器適合モジュールが提供される。当該位相カット調光器適合モジュールは、
位相カット調光器の出力端子への接続のための第１の入力端子及び第２の入力端子を備える整流器と、
整流器の出力端子間に結合され、位相カット調光器がリーディングエッジ調光器である場合に、リーディングエッジの後に調光器電流が０を交差しないように、抵抗及びコンデンサの直列配置を含むラッチと、
コンデンサに直列に配置される単向性素子と、
コンデンサに結合され、コンデンサを放電するための電流源を含み、調光器がオフの場合に、調光器電流のための低オーム経路を提供するクランプ回路と、
整流器の出力端子を接続する伝導性分岐と、
を含む。
【００１１】
このような位相カット調光器適合モジュールは、適合に必要なすべての特徴を各ＬＥＤ光源が備える必要がなく、位相カット調光器に適合しない１つ以上のＬＥＤ光源を調光する可能性を提供する。
【００１２】
本発明の第４の態様によると、位相カット調光器によって調光されるのに適している照明システムが提供され、当該照明システムは、位相カット調光器に適合しない少なくとも１つのＬＥＤ光源と、上述した位相カット調光器適合モジュールとを含む。
【００１３】
動作時、少なくとも１つのＬＥＤ光源の入力端子と、位相カット調光器適合モジュールの第１及び第２の入力端子とは、すべて、位相カット調光器の出力端子に接続される。したがって、位相カット調光器適合モジュールの第１及び第２の入力端子と、少なくとも１つのＬＥＤ光源の入力端子とを、位相カット調光器の出力端子への接続のための接続端子に接続することが可能である。照明システムは、１つの光源しか含まない場合もあるが、照明システムは、２つ以上のＬＥＤ光源を含むことが好適である。後者の場合、位相カット調光器適合モジュールの第１及び第２の入力端子と、すべてのＬＥＤ光源の入力端子とは、同じ接続端子に接続される。当該照明システムの重要な利点は、当該照明システムも、位相カット調光器に適合するために必要なすべての特徴を各ＬＥＤ光源が備える必要がない点である。
【００１４】
本発明の第５の態様によれば、位相カット調光器によって調光されるのに適している照明システムが提供され、当該照明システムは、位相カット調光器に適合しない少なくとも１つのＬＥＤ光源と、本発明の第１の態様によるＬＥＤ光源とを含む。
【００１５】
動作時、少なくとも１つのＬＥＤ光源の入力端子と、本発明の第１の態様によるＬＥＤ光源（以下、調光可能なＬＥＤ光源と呼ぶ）の第１及び第２の入力端子とは、すべて、位相カット調光器の出力端子に接続される。したがって、調光可能なＬＥＤ光源の第１及び第２の入力端子と、少なくとも１つのＬＥＤ光源の入力端子とを、位相カット調光器の出力端子への接続のための接続端子に接続することが可能である。照明システムは、位相カット調光器に適合しないＬＥＤ光源を１つしか含まない場合があるが、照明システムは、２つ以上のＬＥＤ光源を含むことが好適である。後者の場合、調光可能なＬＥＤ光源の第１及び第２の入力端子と、すべてのＬＥＤ光源の入力端子とは、同じ接続端子に接続される。当該照明システムの重要な利点は、当該照明システムも、照明システムに含まれる各ＬＥＤ光源が、位相カット調光器に適合するために必要なすべての特徴を備える必要がない点である。
【００１６】
本発明の第６の態様によれば、位相カット調光器に適合せず、本発明の第４及び第５の態様による照明システムにおける使用に適しているＬＥＤ光源が提供される。当該ＬＥＤ光源は、
位相カット調光器の出力端子への接続のための第１の入力端子及び第２の入力端子を備える整流器と、
Ｎ個のＬＥＤ負荷を含む直列配置であって、直列配置の第１及び第２の端が、整流器の第１の出力端子及び第２の出力端子にそれぞれ結合される、当該直列配置と、
整流されたＡＣ供給電圧の一周期の間に、瞬間振幅が増加する場合、１つずつ、且つ、整流されたＡＣ供給電圧の瞬間振幅に依存して、直列配置に含まれるＬＥＤ負荷に電流を続けて伝導させ、また、瞬間振幅が減少する場合、１つずつ、且つ、整流されたＡＣ供給電圧の瞬間振幅に依存して、ＬＥＤ負荷に電流を伝導することを続けて停止させ、位相カット調光器の出力端子間にある電圧の瞬間振幅が０である場合に、ＬＥＤ負荷を非伝導状態に維持する制御手段と、
整流器の第１及び第２の出力端子間に結合されるスイッチ可能なブリーダー電流源と、を含む。
【００１７】
本発明の第７の態様によれば、調光器が提供され、当該調光器は、
供給電圧源及び出力端子への接続のための入力端子を含む位相カット調光器と、
本発明の第３の態様による位相カット調光器適合モジュールと、
を含み、位相カット調光器適合モジュールの第１の入力端子及び第２の入力端子は、位相カット調光器の対応する出力端子に接続される。
【００１８】
位相カット調光器に適合しない１つ以上のＬＥＤ光源は、当該ＬＥＤ光源が位相カット調光器の出力端子に、位相カット調光器適合回路に並列に接続される場合に、この調光器を使用して調光可能である。
【００１９】
本発明の第８の態様によれば、照明器具が提供され、当該照明器具は、
本発明の第３の態様による位相カット調光器適合モジュールと、
位相カット調光器に適合しない１つ以上のＬＥＤ光源を、位相カット調光器適回路と並列に接続する第１の入力端子及び第２の入力端子に接続される接続端子とを含む。
【００２０】
位相カット調光器適合回路の入力端子が、位相カット調光器の出力端子に接続される場合、位相カット調光器に適合しない１つ以上のＬＥＤ光源は、当該ＬＥＤ光源が位相カット調光器適合回路に並列に接続される場合に、調光可能である。
【００２１】
本発明の更なる詳細は、従属項に記載される。
【図面の簡単な説明】
【００２２】
本発明によるＬＥＤ光源の実施形態は、図面を使用して更に説明される。
【００２３】
【図１】図１は、本発明によるＬＥＤ光源の一実施形態の概略図を示す。
【図２】図２は、図１に示されるＬＥＤ光源の非調光動作のための入力電圧、入力電流、及びＬＥＤ電流の形状を示す。
【図３Ａ】図３Ａは、リーディングエッジ位相カット調光器が使用される場合の図１に示されるＬＥＤ光源の調光動作のための入力電圧、入力電流、及びＬＥＤ電流の形状を示す。
【図３Ｂ】図３Ｂは、リーディングエッジ位相カット調光器が使用される場合の図１に示されるＬＥＤ光源の調光動作のための入力電圧、入力電流、及びＬＥＤ電流の形状を示す。
【図３Ｃ】図３Ｃは、リーディングエッジ位相カット調光器が使用される場合の図１に示されるＬＥＤ光源の調光動作のための入力電圧、入力電流、及びＬＥＤ電流の形状を示す。
【図４Ａ】図４Ａは、トレーリングエッジ位相カット調光器が使用される場合の図１に示されるＬＥＤ光源の調光動作のための入力電圧、入力電流、及びＬＥＤ電流の形状を示す。
【図４Ｂ】図４Ｂは、トレーリングエッジ位相カット調光器が使用される場合の図１に示されるＬＥＤ光源の調光動作のための入力電圧、入力電流、及びＬＥＤ電流の形状を示す。
【図４Ｃ】図４Ｃは、トレーリングエッジ位相カット調光器が使用される場合の図１に示されるＬＥＤ光源の調光動作のための入力電圧、入力電流、及びＬＥＤ電流の形状を示す。
【図５】図５は、位相カット調光器に結合された多数のＬＥＤ光源を含む照明器具を示す。
【図６】図６は、位相カット調光器適合モジュールを示す。
【図７】図７は、図６に示される位相カット調光器適合モジュールと組み合わせられることによって調光可能にされる非調光可能なＬＥＤ光源を示す。
【図８】図８は、位相カット調光器と、位相カット調光器適合モジュールとを含む調光器を示す。
【発明を実施するための形態】
【００２４】
図１において、Ｋ１及びＫ２は、位相カット調光器の出力端子に結合するためのフルブリッジ整流器（Ｄ１〜Ｄ４）の第１及び第２の入力端子である。フルブリッジ整流器の第１の出力端子は、抵抗Ｒ８と、ダイオードＤ６と、トランジスタＱ４との第１の直列配置と、トランジスタＱ５及びＱ６によって形成されるダーリントンと、抵抗Ｒ１０との第２の直列配置との並列配置を含むブリーダー電流源ＢＣＳによって、フルブリッジ整流器の第２の出力端子に接続される。トランジスタＱ５のベース電極は、ダイオードＤ６と抵抗Ｒ８との間の端子に接続され、トランジスタＱ４のベース電極は、トランジスタＱ６と抵抗Ｒ１０との間の端子に接続される。フルブリッジ整流器の第１の出力端子及び第２の出力端子は更に、ダイオードＤ５と、抵抗Ｒ１１と、コンデンサＣ２と、抵抗Ｒ９とを含む直列配置によっても接続される。抵抗Ｒ１１、Ｒ９、及びコンデンサＣ２は、合わせてラッチＬＡを形成し、位相カット調光器がリーディングエッジ位相カット調光器である場合に、位相カット調光器によって生成されたリーディングエッジ後で、調光器を流れる電流が０を交差しないようにする。リーディングエッジは、調光器内に含まれるＥＭＩフィルタ内に含まれるＬＣ組み合わせを振動させる。この振動は、調光器を流れる電流を、調光器がオフに切り替わってしまうような低さにさせてしまう。このことは、ラッチによって振動を減衰させることによって阻止される。ダイオードＤ５は、ＬＥＤ負荷を介する又は調節可能なブリーダー電流源を介するコンデンサＣ２の放電を阻止する単向性素子である。
【００２５】
フルブリッジ整流器の第１の出力端子は更に、抵抗Ｒ１及びＲ２の直列配置によっても第２の出力端子に接続される。抵抗Ｒ２は、コンデンサＣ１及び抵抗Ｒ４の直列配置によってシャントされる。抵抗Ｒ４及びコンデンサＣ１の共通端子は、抵抗Ｒ３によって抵抗Ｒ１及びＲ２の共通端子に接続され、また、トランジスタＱ１のベース電極にも直接接続される。トランジスタＱ１及び抵抗Ｒ５の直列配置が、コンデンサＣ２及び抵抗Ｒ９の直列配置をシャントする。トランジスタＱ１は、ツェナーダイオードＺ１によってシャントされる。抵抗Ｒ５及びトランジスタＱ１の直列配置は更に、抵抗Ｒ６と、トランジスタＱ２及びＱ３によって形成されるダーリントンと、抵抗Ｒ７との直列配置によってもシャントされる。トランジスタＱ２のベース電極は、抵抗Ｒ５及びトランジスタＱ１の共通端子に接続される。抵抗Ｒ１、Ｒ２、Ｒ３、Ｒ４、Ｒ５、Ｒ６並びにＲ７、コンデンサＣ１、ツェナーダイオードＺ１、及びトランジスタＱ１、Ｑ２並びにＱ３は、合わせて、コンデンサＣ２に結合され、コンデンサを放電させる電流源を含み、調光器がオフの場合に調光器電流のための低オーム経路を提供するクランプ回路ＣＣを形成する。電流源は、ツェナーダイオードＺ１と、抵抗Ｒ６及びＲ７と、トランジスタＱ２及びＱ３とによって形成される。
【００２６】
フルブリッジ整流器の第１の出力端子は、ＬＥＤ負荷ＬＥＤ１、ＬＥＤ２、及びＬＥＤ３を含む直列配置の第１の端に接続される。ＬＥＤ負荷ＬＥＤ１のカソードは、抵抗Ｒ１３と、ダイオードＤ７と、トランジスタＱ７との第１の直列配置と、トランジスタＱ８及びＱ９によって形成されるダーリントンと、抵抗Ｒ１４との第２の直列配置との並列配置を含む第１の電流源の第１の端に接続される。トランジスタＱ８のベース電極は、ダイオードＤ７と抵抗Ｒ１３との間の端子に接続され、トランジスタＱ７のベース電極は、トランジスタＱ９と抵抗Ｒ１４との間の端子に接続される。同様に、ＬＥＤ負荷ＬＥＤ２のカソードは、抵抗Ｒ１５と、ダイオードＤ８と、トランジスタＱ１０との第１の直列配置と、トランジスタＱ１１及びＱ１２によって形成されたダーリントンと、抵抗Ｒ１６との第２の直列配置との並列配置を含む第２の電流源の第１の端に接続される。トランジスタＱ１１のベース電極は、ダイオードＤ８と抵抗Ｒ１５との間の端子に接続され、トランジスタＱ１０のベース電極は、トランジスタＱ１２と抵抗Ｒ１６との間の端子に接続される。第３のＬＥＤ負荷ＬＥＤ３のカソードは、抵抗Ｒ１７と、ダイオードＤ９と、トランジスタＱ１３との第１の直列配置と、トランジスタＱ１４及びＱ１５によって形成されたダーリントンと、抵抗Ｒ１８との第２の直列配置との並列配置を含む第３の電流源の第１の端に接続される。トランジスタＱ１４のベース電極は、ダイオードＤ９と抵抗Ｒ１７との間の端子に接続され、トランジスタＱ１３のベース電極は、トランジスタＱ１５と抵抗Ｒ１８との間の端子に接続される。
【００２７】
トランジスタＱ１３及び抵抗Ｒ１８の共通端子によって形成される第３の電流源の第２の端は、第２の電流源におけるトランジスタＱ１２及び抵抗Ｒ１６の共通端子に接続される。同様に、トランジスタＱ１０及び抵抗Ｒ１６の共通端子によって形成される第２の電流源の第２の端は、第１の電流源におけるトランジスタＱ９及び抵抗Ｒ１４の共通端子に接続される。更に、トランジスタＱ７及び抵抗Ｒ１４の共通端子によって形成される第１の電流源の第２の端は、ブリーダー電流源ＢＣＳにおけるトランジスタＱ６及び抵抗Ｒ１０の共通端子に接続される。したがって、３つのＬＥＤ負荷ＬＥＤ１、ＬＥＤ２及びＬＥＤ３の直列配置と、抵抗Ｒ１７と、ダイオードＤ９と、トランジスタＱ１３と、抵抗Ｒ１６、Ｒ１４及びＲ１０とは、ＬＥＤ負荷を含み、フルブリッジ整流器の出力端子を接続する直列配置を、合わせて形成する。
【００２８】
図１に示されるＬＥＤ光源の動作は、次のとおりである。
【００２９】
第１の入力端子Ｋ１及び第２の入力端子Ｋ２が、位相カット調光器の出力端子に接続される場合、その入力端子は、ＡＣ供給電圧を供給する供給電圧源に接続され、位相カット調光器の位相角は、０に調節され、ＬＥＤ光源の動作は非調光動作、即ち、調光器はその入力端子に存在するＡＣ供給電圧を全く切断しない。したがって、入力端子Ｋ１及びＫ２に存在する供給電圧は、図２の曲線Ｉに示されるように正弦曲線状である。
【００３０】
フルブリッジ整流器は、この正弦曲線状の供給電圧を整流し、この整流電圧は、フルブリッジ整流器の出力端子間に存在する。整流供給電圧の各周期の始まりにおいて、整流供給電圧の瞬間振幅は、０より高くなり、電流が、抵抗Ｒ８と、トランジスタＱ５及びＱ６と抵抗Ｒ１０とからなるベース・エミッタ接合とを流れ始める。この電流は、トランジスタＱ６を伝導させ、これにより、より多くの電流が、トランジスタＱ６を介して抵抗Ｒ１０を流れ始める。抵抗Ｒ１０の両端間の電圧が増加するにつれて、トランジスタＱ４が伝導し、トランジスタＱ６及びＱ４によって伝導される電流間にバランスが確立され、これにより、抵抗Ｒ８と、ダイオードＤ６と、トランジスタＱ４との直列配置は、抵抗Ｒ１０と、トランジスタＱ５及びＱ６によって形成されるダーリントンとの直列配置と合わされて、電流源を形成する。この電流源によって伝導される電流は、ＬＥＤ負荷のうちの１つ以上のＬＥＤ負荷を流れないが、位相カット調光器内に含まれるスイッチを流れる。多くの位相カット調光器が、当該調光器を流れる電流が所定値を下回ると非伝導性となるスイッチを含む。整流供給電圧の瞬間振幅が、第１のＬＥＤ負荷ＬＥＤ１に電流の伝導を開始させるのに十分に高い値に増加する前に、スイッチを流れる唯一の電流は、ブリーダー電流源によって引き出された電流であり、この電流は、位相カット調光器内に含まれるスイッチを伝導状態に維持するために必要である。図２において、この段階の動作では、ＬＥＤ光源への入力電流（曲線ＩＩ）はあるが、ＬＥＤ負荷を流れる電流（曲線ＩＩＩ）は０であることが見て取れる。
【００３１】
整流供給電圧の瞬間振幅が、第１のＬＥＤ負荷ＬＥＤ１に電流の伝導を開始させるのに十分に高い値に増加すると、電流源ＣＳ１が、ブリーダー電流源ＢＣＳについて上述したのと同様の方法で、伝導状態となる。電流源ＣＳ１を流れるすべての電流が、ブリーダー電流源内に含まれる抵抗Ｒ１０を流れる電流を増加させる。結果として、トランジスタＱ４のベース電極における電圧が増加し、その一方で当該トランジスタのコレクタにおける電圧が減少する。この「ピンチオフ」メカニズムを介して、ブリーダー電流源ＢＣＳは、第１の電流源ＣＳ１が伝導するとオフに切り替えられる。この段階では、ＬＥＤ負荷ＬＥＤ１と第１の電流源ＣＳ１とが電流を伝導する。同様に、整流供給電圧の瞬間振幅が、第２のＬＥＤ負荷ＬＥＤ２に電流の伝導を開始させるのに十分に高い値に増加すると、電流源ＣＳ２が伝導する。第２の電流源ＣＳ２は、ピンチオフメカニズムを介して、第１の電流源ＣＳ１を非伝導状態にする。この段階では、ＬＥＤ負荷ＬＥＤ１及びＬＥＤ２と電流源ＣＳ２とが電流を伝導する。整流供給電圧が更に増加すると、第３のＬＥＤ負荷ＬＥＤ３と第３の電流源ＣＳ３とが伝導状態にされ、第２の電流源ＣＳ２はオフに切り替えられる。この段階では、すべてのＬＥＤ負荷と電流源ＣＳ３のみとが電流を伝導する。
【００３２】
整流供給電圧の瞬間振幅がその最大値にまで増加した後、瞬間振幅は減少し始め、第３のＬＥＤ負荷ＬＥＤ３を伝導状態に維持するのに必要な値を下回ると、ＬＥＤ負荷ＬＥＤ３と第３の電流源ＣＳ３とが非伝導状態となり、第２の電流源ＣＳ２が伝導状態になる。整流電圧の瞬間振幅が更に減少すると、第２のＬＥＤ負荷ＬＥＤ２と第２の電流源ＣＳ２とが非伝導状態になり、第１の電流源ＣＳ１が伝導状態になる。整流供給電圧の瞬間振幅が更に一層減少すると、第１のＬＥＤ負荷ＬＥＤ１と第１の電流源ＣＳ１とが非伝導状態となり、ブリーダー電流源ＢＣＳが伝導状態になる。ブリーダー電流源ＢＣＳは、整流供給電圧の瞬間振幅が、整流供給電圧の周期の終わりに０に下がるまで伝導状態のままである。次の周期において、上述した一連のイベントが繰り返される。
【００３３】
調光動作の場合、位相カット調光器は、ＡＣ供給電圧の各半周期の一部の間にＡＣ供給電圧を切断する。切断の間、入力端子Ｋ１及びＫ２の間に存在する電圧は０に等しくなる。一般に、２つのタイプの位相調光、即ち、リーディングエッジ（ＬＥ）とトレーリングエッジ（ＴＥ）とがある。
【００３４】
リーディングエッジの場合、ＡＣ供給電圧の各半周期の第１の部分が切断され、これにより、フルブリッジ整流器の入力端子に存在する電圧は０に等しくなる。結果として、ＬＥＤ負荷を流れる電流も０である。切断の終わりにおいて、調光器スイッチが伝導状態になると、入力端子における電圧の瞬間振幅が、その正常（即ち、切断されてないときの）値に急に上昇し、これにより、位相カット調光器の位相角の３つの異なる値について、図３Ａ、図３Ｂ及び図３Ｃの曲線Ｉにおいて見られるように、「リーディングエッジ」が生成される。これらの３つの異なる位相角の値は、ＡＣ供給電圧が切断される供給電圧の各半周期における３つの異なる時間経過の継続時間に対応する。この正常電圧が、第１のＬＥＤ負荷ＬＥＤ１の順電圧より高い場合、少なくともこのＬＥＤ負荷が電流を伝導し始める。正常電圧が、第１のＬＥＤ負荷の順電圧よりも（まだ）高くない場合、ブリーダー電流源が電流を伝導し始める。ＡＣ供給電圧の次のゼロ交差まで、ＬＥＤ光源の動作は、上述した非調光動作と同じである。ＡＣ供給電圧のゼロ交差後、フルブリッジ整流器の入力端子における電圧は０に等しくなり、このサイクルは繰り返される。
【００３５】
トレーリングエッジの場合、ＡＣ供給電圧の切断は、ＡＣ供給電圧の各半周期の最終部分の間であり、これにより、入力端子に存在する電圧の各半周期の最終部分はゼロであり、第１の部分は正常振幅を有する。調光器スイッチが非伝導状態になると、電圧の瞬間振幅は０に減少し、位相カット調光器の３つの異なる位相角の値について、図４Ａ、図４Ｂ及び図４Ｃの曲線Ｉにおいて見られるように、「トレーリングエッジ」がもたらされる。これらの３つの異なる位相角の値は、ＡＣ供給電圧が切断される供給電圧の各半周期における３つの異なる時間経過の継続時間に対応する。
【００３６】
図３及び図４は共に、曲線ＩＩ及びＩＩＩにおいて、ＬＥＤ光源への入力電流と、ＬＥＤ負荷を流れる電流とは、フルブリッジ整流器の入力端子間の電圧が０である場合、約０であることを示す。トレーリングエッジ調光の場合、ＬＥＤ光源の動作は、フルブリッジ整流器の入力端子における電圧が０ではない限り、非調光動作と同様である。調光スイッチが非伝導状態にされるため、当該電圧が０に下がると、ＬＥＤを流れるＬＥＤが０に下がる。
【００３７】
リーディングエッジ調光の場合、リーディングエッジは、ダイオードＤ５及び抵抗Ｒ１１並びにＲ９を介してコンデンサＣ２を充電する。ラッチＬＡは、ダイオードＤ５と共に、ゼロ交差から調光器を流れる電流を阻止し、これにより、調光器スイッチが非伝導状態になることが阻止される。
【００３８】
コンデンサＣ２は、次の半周期において次のリーディングエッジが生じる前に放電される必要があるため、当該コンデンサを放電するために、クランプ回路ＣＣがＬＥＤ光源内に組み込まれる。整流供給電圧の瞬間振幅が高い場合、抵抗Ｒ２の両端間の電圧は高く、トランジスタＱ１は伝導状態であり、このため、トランジスタＱ２及びＱ３は非伝導状態である。結果として、電流は、抵抗Ｒ６と、トランジスタＱ３と、抵抗Ｒ７とによって形成された低インピーダンス経路を流れることができない。このようにして高電力消費が阻止される。しかし、ＡＣ供給電圧の瞬間振幅が減少すると、整流入力電圧の瞬間振幅も、電流源ＣＳ１、ＣＳ２及びＣＳ３とブリーダー電流源ＢＣＳとを流れる電流によって減少し、これにより、瞬間振幅は、ＡＣ供給電圧のゼロ交差付近では低い。したがって、抵抗Ｒ２の両端間の電圧は低く、これにより、トランジスタＱ１は伝導状態ではなく、トランジスタＱ２及びＱ３が共に伝導状態にある。この結果、コンデンサＣ２は、抵抗Ｒ６と、トランジスタＱ３と、抵抗Ｒ７とによって形成された低インピーダンス経路を介して、効果的に放電されることが可能となる。更に、次の半周期の第１の部分の間、ＡＣ供給電圧は切断され、これにより、抵抗Ｒ６と、トランジスタＱ３と、抵抗Ｒ７とによって形成された低インピーダンス経路は伝導状態である。この切断の間、調光器内に含まれたコンデンサは、調光器スイッチが伝導し、充電用電流がＬＥＤ光源に供給される値にまで充電される。調光範囲に亘って調光器スイッチが伝導する瞬間の正確なタイミングを維持するために、この充電用電流が、非常に小さい電圧しかもたらさないことが不可欠であり、ここでも、今度はＤ５、Ｒ１１、Ｒ６、Ｑ３及びＲ７によって形成される低インピーダンス電流経路が必要となる。トランジスタＱ２及びＱ３が伝導する場合、これらのトランジスタは、ツェナーダイオードＺ１と共に電流源を形成する。
【００３９】
ＡＣ供給電圧の瞬間振幅が第１のＬＥＤ負荷ＬＥＤ１の順電圧より高くなる前である、トランジスタＱ１を伝導させるのに十分に高い値において、調光器スイッチが伝導する場合、クランプ回路における電流源は、非伝導状態になり、ブリーダー電流源が伝導し始める。ＡＣ供給電圧の瞬間振幅が第１のＬＥＤ負荷ＬＥＤ１の順電圧より高い、又は、最初の２つ若しくは３つ全てのＬＥＤ負荷の順電圧の合計より高い場合に、調光器スイッチが伝導する場合、これらのＬＥＤ負荷は、調光器スイッチが伝導状態になった直後に伝導し始め、クランプ回路ＣＣ内の電流源は、非伝導状態になる。
【００４０】
図６は、位相カット調光器適合モジュールを示し、図７は、図６に示される位相カット調光器適合モジュールと組み合わされることによって調光可能にされた非調光可能なＬＥＤ光源を示す。なお、非調光可能なＬＥＤ光源とは、位相カット調光器に適合しないＬＥＤ光源を意味する。位相カット調光器適合モジュールと、非調光可能なＬＥＤ光源とは、合わせて、位相カット調光器によって調光されるのに適した照明システムを形成する。
【００４１】
図６において見られるように、調光器適合モジュールは、大部分が、図１に示されるＬＥＤ光源に含まれる回路の一部と同一である。調光器適合モジュールは、ダイオードＤ１’〜Ｄ４’によって形成されるフルブリッジ整流器を含む。フルブリッジ整流器は、位相カット調光器の出力端子への接続のための入力端子Ｋ１’及びＫ２’を有する。フルブリッジ整流器の第１の出力端子及びフルブリッジ整流器の第２の出力端子は、ダイオードＤ５と、抵抗Ｒ１１と、コンデンサＣ２と、抵抗Ｒ９との直列配置によって接続される。抵抗Ｒ１１、Ｒ９と、コンデンサＣ２とは、合わせて、ラッチＬＡを形成し、位相カット調光器がリーディングエッジ位相カット調光器の場合に、位相カット調光器によって生成されるリーディングエッジ後に、調光器を流れる電流が０を交差することを阻止する。ダイオードＤ５は、抵抗Ｒ１１を介するコンデンサＣ２の放電を阻止する単向性素子である。フルブリッジ整流器の第１の出力端子は、抵抗Ｒ１及びＲ２の直列配置によって第２の出力端子に接続される。抵抗Ｒ２は、コンデンサＣ１及び抵抗Ｒ４の直列配置によってシャントされる。抵抗Ｒ４及びコンデンサＣ１の共通端子は、抵抗Ｒ３によって抵抗Ｒ１及びＲ２の共通端子に接続され、また、トランジスタＱ１のベース電極にも直接接続される。トランジスタＱ１及びレジスタＲ５の直列配置が、コンデンサＣ２及び抵抗Ｒ９の直列配置をシャントする。トランジスタＱ１は、ツェナーダイオードＺ１によってシャントされる。抵抗Ｒ５及びトランジスタＱ１の直列配置は更に、抵抗６と、トランジスタＱ２及びＱ３によって形成されるダーリントンと、抵抗Ｒ７との直列配置によってもシャントされる。トランジスタＱ２のベース電極は、抵抗Ｒ５及びトランジスタＱ１の共通端子に接続される。抵抗Ｒ１、Ｒ２、Ｒ３、Ｒ４、Ｒ５、Ｒ６及びＲ７と、コンデンサＣ１と、ツェナーダイオードＺ１と、ランジスタＱ１、Ｑ２及びＱ３とは、合わせて、コンデンサＣ２に結合され、コンデンサを放電する電流源を含み、調光器がオフの場合に調光器電流の低オーム経路を提供するクランプ回路ＣＣを形成する。電流源は、ツェナーダイオードＺ１と、抵抗Ｒ６及びＲ７と、トランジスタＱ２及びＱ３とによって形成される。整流器の出力端子は更に、抵抗Ｒ２０によって接続され、本実施形態では伝導路を形成する。この伝導性分岐によって、ＡＣ供給電圧の振幅が下がった場合に、整流器の第１の出力端子における電圧が下がることが可能となる。ダイオードＤ５は、コンデンサＣ２が依然として充電されていても、第１の出力端子における電圧が下がることを可能にする。整流器の第１の出力端子におけるこの電圧降下は、ツェナーダイオードＺ１と、抵抗Ｒ及びＲ７と、トランジスタＱ２及びＱ３とによって形成される電流源をアクティブにするために必要である。図１の回路では、整流器の第１の出力端子におけるこの電圧降下は、ブリーダー電流源ＢＣＳと、電流源ＣＳ１、ＣＳ２及びＣＳ３とによって実現される。なお、抵抗の代わりに、伝導性分岐は、例えばブリーダー電流源を含んでもよいことに留意されたい。
【００４２】
図７における非調光可能なＬＥＤ光源は、大部分が、図１に示されるＬＥＤ光源と同様である。非調光可能なＬＥＤ光源は、フルブリッジ整流器と、ブリーダー電流源と、３つのＬＥＤ負荷と、ＬＥＤ負荷に結合される３つの電流源とを含む。図１におけるＬＥＤ光源と、図７における非調光可能なＬＥＤ光源との相違点は、ラッチＬＡ、単向性素子Ｄ５、及びクランプ回路ＣＣがないことである。なお、非調光可能なＬＥＤ光源は、好適には、動作時、入力電圧と入力電流との間に位相シフトがなく、したがって、オーム負荷を形成するように構成される。
【００４３】
図７に示される非調光可能なＬＥＤ光源は、メイン供給源といったＡＣ供給電圧源に直接接続され、公称電力（非調光状態）において動作することが可能である。同様に、非調光可能なＬＥＤ光源が位相カット調光器の出力端子に接続される場合、公称電力におけるＬＥＤ光源の動作が、位相カット調光器内に含まれるスイッチが常に伝導する場合は、可能である。この動作は、上述したように調光器スイッチが常に伝導する場合の図１に示されるＬＥＤ光源の動作と同様である。しかし、位相カット調光器の位相角が、各半周期における時間の一部においてメイン供給源が切断されるように調節される場合、非調光可能なＬＥＤ光源の動作は、非調光可能なＬＥＤ光源はラッチ及びクランプ回路を含まないため、もはや可能ではなくなる。しかし、非調光可能なＬＥＤ光源は、調光器適合モジュールを、位相カット調光器の出力端子に、非調光可能なＬＥＤ光源と並列接続することによって、調光可能にされる。この場合、調光は、図１に示されるＬＥＤ光源について説明したのと同様に行われることが可能である。これは、備わっていないラッチ及びクランプ回路が、調光器適合モジュールによって提供されることによる。実際に、非調光可能なＬＥＤ光源を、位相カット調光器の出力端子に、単一の調光器適合回路と並列接続することによって、多数の非調光可能なＬＥＤ光源を調光可能な（即ち、位相カット調光器に適合する）ＬＥＤ光源に変換することが可能である。このことは、図５に示される。ここでは、調光器適合回路Ａに並列接続される多数の非調光可能なＬＥＤ光源Ｂを有する照明器具ＬＵＭが示される。この非調光可能なＬＥＤ光源と調光器適合回路との並列配置は、位相カット調光器ＰＣＤの出力端子に接続される。調光器適合回路と組み合わされた非調光可能なＬＥＤ光源の動作は、図１におけるＬＥＤ光源の動作と同様である。
【００４４】
或いは、非調光可能なＬＥＤ光源は、当該非調光可能なＬＥＤ光源を、位相カット調光器の出力端子に、図１に示されるような調光可能なＬＥＤ光源と並列接続することによっても調光可能にされる。この場合も、多数の非調光可能なＬＥＤ光源は、これらの多数の非調光可能なＬＥＤ光源のすべてを、位相カット調光器の出力端子に、調光可能なＬＥＤ光源と並列接続することによって調光可能にされる。結果として、図５では、「Ａ」は、調光器適合回路であるが、図１に示されるような調光可能なＬＥＤ光源であることも可能である。
【００４５】
図８は、位相カット調光器ＰＣＤと、図６に示されるような調光器適合モジュールとを含む調光器を示す。Ｋ１’’及びＫ２’’は、位相カット調光器の入力端子である。位相カット調光器ＰＣＤの出力端子は、調光器適合モジュールの対応する入力端子Ｋ１’及びＫ２’に接続される。位相カット調光器に適合しない１つ以上のＬＥＤ光源は、それらの入力端子が位相カット調光器の出力端子に接続されると、当該調光器によって調光可能にされる。
【００４６】
本発明は、図面及び上記説明において詳細に例示かつ説明されたが、このような例示及び説明は、例示であって限定と考えられるべきではない。本発明は、開示された実施形態に限定されない。
【００４７】
開示された実施形態への他の変更は、図面、開示内容及び添付の特許請求の範囲の検討から、クレームされた発明を実施する際に、当業者によって理解かつ実現される。請求項において、「含む」との用語は、他の要素又はステップを排除するものではなく、また、不定冠詞「ａ」又は「ａｎ」は複数形を排除するものではない。単一のプロセッサ又は他のユニットが、請求項に記載される幾つかのアイテムの機能を発揮する。特定の手段が相互に異なる従属項に記載されるからと言って、それらの手段の組み合わせを有利に使用することができないことを示すものではない。
【図１】
2014519688.tif 000003
【図２】
2014519688.tif 000004
【図３Ａ】
2014519688.tif 000005
【図３Ｂ】
2014519688.tif 000006
【図３Ｃ】
2014519688.tif 000007
【図４Ａ】
2014519688.tif 000008
【図４Ｂ】
2014519688.tif 000009
【図４Ｃ】
2014519688.tif 000010
【図５】
2014519688.tif 000011
【図６】
2014519688.tif 000012
【図７】
2014519688.tif 000013
【図８】
2014519688.tif 000014
【国際調査報告】
2014519688.tif 000015
2014519688.tif 000016
2014519688.tif 000017